(57)【特許請求の範囲】
【請求項１】
キャビネット本体の前面開口を開閉する扉の中央に該キャビネット本体内を確認する窓孔又は機器取付スペースを設けた電気電子機器収納用キャビネットの扉構造であって、換気口を形成した扉の裏面に扉補強枠板を設けて、該扉補強枠板に前記換気口に臨む通気孔を設けてなり、前記換気口は多数のスリットよりなるものとして、その複数を扉の側方部又は上下部の少なくとも一辺に、列状に配置し、また、該扉補強枠板には各換気口との間に形成した間隔に相当する幅の桟を設けて通気孔を設けたことを特徴とする電気電子機器収納用キャビネットの扉構造。
【発明の詳細な説明】
【技術分野】
【０００１】
本発明は、電気・電子機器を収納する電気電子機器収納用キャビネットの扉構造に関するものである。
【背景技術】
【０００２】
従来の電気電子機器収納用キャビネットの扉は、図９、図１０に示すように扉１０１の裏面にハット形状に折り曲げた補強板１０２を取り付けて補強を行っていた（特許文献１参照）。
【０００３】
ところが、前記のような従来のものは、扉１０１の側方部に換気のための換気口１０３を設ける場合には、換気口１０３は補強板１０２を避けて設ける必要がある。そのため、扉１０１の補強板１０２の内側に囲まれた扉中央面が狭くなり、キャビネット内を確認するために扉１０１の中央に窓孔１０４を設けた場合には該窓孔１０４が小さくなり死角ができる問題がある。また、窓孔を設けず補強板１０２の内側に囲まれた扉中央面を機器取付スペースとした場合には該機器取付スペースが小さくなるという問題があった。
【発明の開示】
【発明が解決しようとする課題】
【０００４】
本発明は前記のような従来の問題点を解決して、換気口を設けても扉の中央に設けるキャビネット内を確認する窓孔や機器取付スペースを大きく取ることができ強度も充分な、電気電子機器収納用キャビネットの扉構造を提供する。
【課題を解決するための手段】
【０００５】
本発明の電気電子機器収納用キャビネットの扉構造は、キャビネット本体の前面開口を開閉する扉の中央に該キャビネット本体内を確認する窓孔又は機器取付スペースを設けた電気電子機器収納用キャビネットの扉構造であって、換気口を形成した扉の裏面に扉補強枠板を設けて、該扉補強枠板に前記換気口に臨む通気孔を設けたものである。
【０００６】
そして、前記換気口は多数のスリットよりなるものとして、その複数を扉の側方部又は上下部の少なくとも一辺に、列状に配置し、また、該扉補強枠板には各換気口との間に形成した間隔に相当する幅の桟を設けて通気孔を設けたことを特徴とするものである。
【発明の効果】
【０００７】
前記した本発明の電気電子機器収納キャビネットの扉構造は、扉補強枠板を換気口を形成した扉の裏面に設けてあるから、扉はこの扉補強枠板により充分な強度を持つものである。また、前記扉補強枠板は扉の面において換気口と併設されていないので扉の中央に設けるキャビネット本体内を確認する窓孔や機器取付スペースを大きく取ることができる。そして、該扉補強枠板には前記換気口に臨む通気孔を設けてあるから換気口を介して流出入する空気は通気孔を通ってキャビネット本体内に流出入して充分な換気を行うことができるものである。
【０００８】
また、多数のスリットよりなる換気口はキャビネット内に他物が入ったり悪戯される虞の無いものである。また、複数の換気口を扉の側方部又は上下部の少なくとも一辺に、列状に配置して、扉補強枠板には各換気口との間に形成した間隔に相当する幅の桟を設けて通気孔を設けたものとすると、扉補強枠板は通気孔を設けているのに拘わらず桟により充分な強度を持つものである。また、通気孔は換気口が臨まない桟の幅分だけが閉塞されているので、多数のスリットよりなる換気口よりは開口面積が広く換気口の空気の流出入量を阻害することのないものである。
【発明を実施するための最良の形態】
【０００９】
次に、本発明の好ましい実施の形態を図に基づき説明する。
図１において、１は電気電子機器収納キャビネットのキャビネット本体、２は該キャビネット本体１の前面開口１１を開閉する扉である。この扉２は側方部すなわち両側方部に換気口３を形成している。４は前記換気口３を形成した側方部の裏面に設けた扉補強枠板であり、該扉補強枠板４には前記換気口３に臨む通気孔５を設けて、キャビネット本体１内と換気口３との間において空気が流出入できるものとしている。
【００１０】
また、扉２の側方部すなわち両側方部に形成した換気口３は多数のスリット３１よりなるものとしている。そして、この多数のスリット３１よりなる換気口３の複数を扉２の側方部に一列に配置している。すなわち、蝶番によりキャビネット本体１に連結する側方部には上下に５つの換気口３を、扉２の開閉用のハンドル６を取り付ける側方部には中央をハンドル取付部６１に形成してその上下に２つずつ計４つの換気口３を配置してある。換気口３を多数のスリットよりなるものとするとキャビネット本体１内に他物が入ったり悪戯される虞の無いものである。
【００１１】
また、前記扉補強枠板４には一列に配置した各換気口３との間に形成した間隔に相当する幅の桟４ａを設けて換気口３に臨む通気孔５を形成している。このように扉補強枠板４に桟４ａを設けて通気孔５を形成すれば、扉補強枠板４は通気孔５を設けているのに拘わらず桟４ａにより充分な強度を持って扉２を補強するものである。また、通気孔５は換気口３が臨まない桟４ａの幅分だけ閉塞されているに過ぎないので、多数のスリット３１よりなる換気口３より開口面積が広いものとなり換気口３の空気の流出入量を阻害することのないものである。
【００１２】
また、図２−図６に示す扉補強枠板４は、通気孔５を形成した補強枠板本体４０の一方の辺の前方に扉２の側枠部２１の内面に添装する補強片部４１を折曲形成するとともに他方の辺の前方に内側補強片部４２を折曲形成したうえ該内側補強片部４２の先端に扉２の裏面に添装して取り付ける取付片部４３を折曲形成してなるものとしている。
【００１３】
なお、扉補強枠板４は前記したものに限らず、図７に示すように通気孔５を形成した補強枠板本体４０を扉２の側枠部２１の先端から折曲形成して該補強枠板本体４０の先端に前方に向け内側補強片部４２を折曲形成したうえ該内側補強片部４２の先端に扉２の裏面に添装して取り付ける取付片部４３を折曲形成してなるものとしてもよい。
【００１４】
７は扉２の中央に設けたるキャビネット本体１内を確認する四角形状の窓孔であり、該窓孔７には扉２の裏面からアクリル板よりなる透明板８が取り付けられている。透明板８は周縁を窓孔７の周縁裏面に添装したうえ前記扉補強枠板４の内側補強片部４２に透設したクリップ保持孔４２ａに着脱自在に取り付けるクリップ４２ｂにより保持して窓孔７に着脱自在に取り付けている。
【００１５】
このように構成された電気電子機器収納用キャビネットの扉構造は、扉補強枠板４を換気口３を形成した扉２の裏面に設けてあるから、扉２は中央にキャビネット本体１内を確認する四角形状の窓孔７を設けてあっても充分な強度を持つものである。また、前記扉補強枠板４は扉２の面において換気口３と併設していない構成であるから扉２の中央に設けるキャビネット本体１内を確認する窓孔７を大きく取ることができる。なお、本実施形態では扉に窓孔を設けたものを説明しているが、窓孔７を設けない場合では、扉２の機器取付スペースを大きく取ることができるという効果が得られる。
【００１６】
そして、該扉補強枠板４には前記換気口３に臨む通気孔５を設けてあるので換気口３を介して流出入する空気は通気孔５を通ってキャビネット本体内に流出入して充分な換気を行うことができるものである。なお、本実施形態では換気口３を扉２の側方部に一列に配置しているが、図８に示すように、換気口３を扉２の上下部に設けてもよい。また、換気口３は二列及びそれ以上に設けてもよいものである。
【図面の簡単な説明】
【００１７】
【図１】本発明の実施形態を示す斜視図。
【図２】本発明の実施形態を扉を開けて示す斜視図。
【図３】本発明の実施形態に使用する扉の透明板を除いて示す裏面側斜視図。
【図４】本発明の実施形態に使用する扉の横断面図。
【図５】扉の要部を示す断面図。
【図６】本発明の実施形態に使用する扉の透明板を装着して示す裏面側斜視図。
【図７】扉の他例の要部を示す断面図。
【図８】本発明の他の実施形態を示す斜視図。
【図９】従来例を示す斜視図。
【図１０】従来例の要部を示す断面図。
【符号の説明】
【００１８】
２  扉
３  換気口
31  スリット
４  扉補強枠板
4a  桟
５  通気孔
【図１】
0004912261.tif 000002
【図２】
0004912261.tif 000003
【図３】
0004912261.tif 000004
【図４】
0004912261.tif 000005
【図５】
0004912261.tif 000006
【図６】
0004912261.tif 000007
【図７】
0004912261.tif 000008
【図８】
0004912261.tif 000009
【図９】
0004912261.tif 000010
【図１０】
0004912261.tif 000011